(57)【要約】【課題】デジタル情報処理装置に文字を入力する方法を提供する。【解決手段】本発明によるデジタル情報処理装置の文字入力方法は、多数の代表文字キーと多数の入力モード選択キーを含むメイン入力画面を表示する段階と、前記代表文字のうち一つが選択される時に、選択された代表文字と関連ある多数の従属文字キーを含むサブ入力画面を表示する段階とを含む。したがって、メイン入力画面での一回のキー押しとサブ入力画面のうちいずれか一つでの一回のキー押し、すなわち、２回のキー押しによってひらがなまたはカタカナを入力することができる。【選択図】  図１
2004199642.tif 000002
【特許請求の範囲】
【請求項１】
デジタル情報処理装置の文字入力方法において、
多数の代表文字キーと多数の入力モード選択キーとを含むメイン入力画面を表示する段階と、
前記代表文字のうち一つが選択される時に、選択された代表文字と関連ある多数の従属文字キーを含むサブ入力画面を表示する段階とを含むことを特徴とする文字入力方法。
【請求項２】
前記入力モード選択キーは、
ひらがな入力モード、カタカナ入力モード、ローマ字方式のひらがな入力モード、ローマ字方式のカタカナ入力モード及び英語アルファベット入力モードを選択するためのキーを含むことを特徴とする請求項１に記載の文字入力方法。
【請求項３】
前記モード選択キーのうち一つの押しによって選択されたモードに対応するメイン入力画面を表示する段階をさらに含むことを特徴とする請求項２に記載の文字入力方法。
【請求項４】
前記選択された入力モードがひらがな入力モードである時に、
前記代表文字は「あ、か、さ、た、な、は、ま、や、ら、わ」及び「ん」を含むことを特徴とする請求項３に記載の文字入力方法。
【請求項５】
前記代表文字‘あ’と関連ある従属文字は「あ、い、う、え、お、ぁ、ぃ、ぅ、ぇ」及び「ぉ」を含むことを特徴とする請求項４に記載の文字入力方法。
【請求項６】
前記代表文字‘か’に対応する従属文字は「か、き、く、け、こ、が、ぎ、ぐ、げ、ご、きゃ、きゅ、きょ、ぎゃ、ぎゅ」及び「ぎょ」を含むことを特徴とする請求項４に記載の文字入力方法。
【請求項７】
前記代表文字‘さ’と関連ある従属文字は「さ、し、す、せ、そ、ざ、じ、ず、ぜ、ぞ、しゃ、しゅ、しょ、じゃ、じゅ」及び「じょ」を含むことを特徴とする請求項４に記載の文字入力方法。
【請求項８】
前記代表文字‘た’と関連ある従属文字は「た、ち、つ、て、と、だ、ぢ、づ、で、ど、ちゃ、ちゅ、ちょ、っ、ぢゃ、ぢゅ」及び「ぢょ」を含むことを特徴とする請求項４に記載の文字入力方法。
【請求項９】
前記代表文字‘な’と関連ある従属文字は「な、に、ぬ、ね、の、にゃ、にゅ」及び「にょ」を含むことを特徴とする請求項４に記載の文字入力方法。
【請求項１０】
前記代表文字‘は’と関連ある従属文字は「は、ひ、ふ、へ、ほ、ば、び、ぶ、べ、ぼ、ぱ、ぴ、ぷ、ぺ、ぽ、ひゃ、ひゅ、ひょ、びゃ、びゅ、びょ、ぴゃ、ぴゅ」及びぴょ」を含むことを特徴とする請求項４に記載の文字入力方法。
【請求項１１】
前記代表文字‘ま’と関連ある文字は「ま、み、む、め、も、みゃ、みゅ」及び「みょ」を含むことを特徴とする請求項４に記載の文字入力方法。
【請求項１２】
前記代表文字‘や’と関連ある従属文字は「や、ゆ、よ、ゃ、ゅ及「びょ」を含むことを特徴とする請求項４に記載の文字入力方法。
【請求項１３】
前記代表文字‘ら’と関連ある従属文字は「ら、り、る、れ、ろ、りゃ、りゅ」及び「りょ」を含むことを特徴とする請求項４に記載の文字入力方法。
【請求項１４】
前記代表文字‘わ’と関連ある従属文字は「わ、を」及び「ゎ」を含むことを特徴とする請求項４に記載の文字入力方法。
【請求項１５】
前記選択されたモードがカタカタ入力モードである時に、前記代表文字は「ア、カ、サ、ナ、タ、ナ、ハ、マ、ヤ、ラ、ワ」及び「ン」を含むことを特徴とする請求項３に記載の文字入力方法。
【請求項１６】
前記代表文字‘ア’と関連ある従属文字は「ア、イ、ウ、エ、オ、ァ、ィ、ゥ、ェ」及び「ォ」を含むことを特徴とする請求項１５に記載の文字入力方法。
【請求項１７】
前記代表文字‘カ’と関連ある従属文字は「カ、キ、ク、ケ、コ、ガ、ギ、グ、ゲ、ゴ、ヵ、ヶ、キャ、キュ、キョ、ギャ、ギュ」及び「ギョ」を含むことを特徴とする請求項１５に記載の文字入力方法。
【請求項１８】
前記代表文字‘サ’と関連ある従属文字は「サ、シ、ス、セ、ソ、ザ、ジ、ズ、ゼ、ゾ、シャ、シュ、ショ、ジャ、ジュ」及び「ジョ」を含むことを特徴とする請求項１５に記載の文字入力方法。
【請求項１９】
前記第表文字‘タ’と関連ある従属文字は「タ、チ、ツ、テ、ト、ダ、ヂ、ヅ、デ、チャ、チュ、チョ、ッ、ヂャ、ヂュ」及び「ヂョ」を含むことを特徴とする請求項１５に記載の文字入力方法。
【請求項２０】
前記代表文字‘ナ’と関連ある従属文字は「ナ、ニ、ヌ、ネ、ノ、ニャ、ニュ」及び「ニョ」を含むことを特徴とする請求項１５に記載の文字入力方法。
【請求項２１】
前記代表文字‘ハ’と関連ある従属文字は「ハ、ヒ、フ、ヘ、ホ、バ、ビ、ブ、ベ、ボ、パ、ピ、プ、ペ、ポ、ヒャ、ヒュ、ヒュ、ヒョ、ビャ、ビュ、ビョ、ピャ、ピュ」及び「ピョ」を含むことを特徴とする請求項１５に記載の文字入力方法。
【請求項２２】
前記代表文字‘マ’と関連ある従属文字は「マ、ミ、ム、メ、モ、ミャ、ミュ」及び「ミョ」を含むことを特徴とする請求項１５に記載の文字入力方法。
【請求項２３】
前記代表文字‘ヤ’と関連ある従属文字は「ヤユ、ヨ、ャ、ュ」及び「ョ」を含むことを特徴とする請求項１５に記載の文字入力方法。
【請求項２４】
前記代表文字‘ラ’と関連ある従属文字は「ラ、リ、ル、レ、ロ、リャ、リュ」及び「リョ」を含むことを特徴とする請求項１５に記載の文字入力方法。
【請求項２５】
前記代表文字‘ワ’と関連ある従属文字は「ラワ、ヲ」及び「ヮ」を含むことを特徴とする請求項１５に記載の文字入力方法。
【請求項２６】
前記選択されたモードがローマ字方式のひらがな入力モードである時に、
前記代表文字は「あ、か、さ、た、な、は、ま、や、ら、わ」及び「ん」にローマ字が各々併記されて表示されることを特徴とする請求項３に記載の文字入力方法。
【請求項２７】
前記選択されたモードがローマ字方式のカタカナ入力モードである時に、
前記代表文字は「ア、カ、サ、タ、ナ、ハ、マ、ヤ、ラ、ワ」及び「ン」にローマ字が各々併記されて表示されることを特徴とする請求項３に記載の文字入力方法。
【請求項２８】
前記選択されたモードが英語アルファベット入力モードである時に、
前記代表文字は
【数１】
2004199642.tif 000021
を含むことを特徴とする請求項３に記載の文字入力方法。
【請求項２９】
前記サブ入力画面を表示する段階の前記サブ入力画面は、
前記メイン入力画面表示段階に戻るために戻りキーをさらに含むことを特徴とする請求項１に記載の文字入力方法。
【請求項３０】
前記デジタル情報処理装置がパワーオンされる時に、前記入力モードのうちいずれか一つに対応するメイン入力画が表示されることを特徴とする請求項１に記載の文字入力方法。
【発明の詳細な説明】
【０００１】
【発明の属する技術分野】
本発明はデジタル情報処理装置に関するものであり、さらに具体的には、電子化させ難い日本語アルファベットを容易に入力することができるデジタル情報処理装置に関するものである。
【０００２】
【従来の技術】
電気・電子技術が急速に発展することによって、ポケットベール、ＣＤＭＡ、ＰＣＳ、ＴＤＭＡ、ＧＳＭ、ＡＭＰＳ、ＩＭＴ−２０００などのような多様な方式の通信用端末装置やＰＤＡ、ゲーム機、リモコン、カメラ、家電機器などのような各種電子機器が小型化・先端化している。
【０００３】
特に、最近、ＴＶや冷蔵庫のような伝統的な家電機器に通信機能とコンピューティング機能を追加した新しい家電機器が続々出ている実情である。このように、従来の家電機器にコンピューティング機能と通信機能が追加され、いわゆるインターネット家電機器と呼ばれるこれら新概念の家電機器を始め、各種の電子機器に特定アルファベットを入力することができるアルファベット入力装置が要求されていた。
【０００４】
しかし、これら電子機器はデザインが重要な要素であり、さらに サイズも大部分小型であるので、コンピュータ用キーボードのようにキーの数を大きく増やすことができない立場である。このために、１０〜２０個の程度のキー（ボタン）のみで特定国家で使用されるすべてのアルファベットを入力処理することができるアルファベット入力装置が要求されており、各国ごとに、これに対する研究が進行中である。
【０００５】
よく知られたように、この世界に存在する文字の数は多いが、単位音節に意味が与えられるか否かに従って表音文字と表意文字の二つに大別することができる。また他の観点によると、単位音節を音素に分離可能であるか否かに従って音素文字と音節文字の二つに大別することができる。前記表音文字の代表として英語、日本語及び韓国語があり、表意文字としては中国語を例として挙げることができる。また、音節文字の代表としては、日本語を、音素文字の代表としては英語と韓国語を挙げることができる。
【０００６】
このように、現在、地球上に存在する文字の種類は最小四つの程度に区分することができ、これら文字全部に適用可能なユニコード入力装置を開発するということは非常に大変であり、実際に、現存するユニコード入力装置の場合に、文字合成規則も複雑であり、アルファベット一つを入力するのに必要なキーの操作の回数も非常に多いので、現実的に、各国では自国文字と世界公用語である英語を並行して使用することができるアルファベット入力装置に対する研究が進行している。
【０００７】
本発明で使用される日本語アルファベットは４６個の基本文字（清音表記）と前記基本文字の右側の上段に、“゛”または“゜”が併記された２５個の変異文字（濁音、または半濁音）と、ァ、ィ、ゥ、ェ、ォ、ッ、ャ、ュ、ョの８個の下添字で構成されており、これらアルファベットは再び、ひらがなとカタカナの２種類に分けられ、その数字は総１５１個に至る。
【０００８】
このように、日本語アルファベットはその数が多いので、音節文字であるアルファベットを音節の単位に分けて各キーに割り当てる場合には、コンピュータ用１０３キーボードや１０６用キーボードを入力装置として採用した場合でも、変異文字生成のための別途の機能キーが具備されなければならない。さらに、キーの数が十数個しかないダイアルパッドに日本語アルファベットを音節の単位に分けて割り当てる場合に、最小限キー一つあたり四つのアルファベットを割り当てるべきである基本文字でも入力することができるので、日本語アルファベット一つを入力するのに最大４回のキー操作が必要である。特に、ひらがなとカタカナを並行して使用する場合、または濁音や半濁音を入力しなければならない場合にはキーの操作の回数がさらに増加する。
【０００９】
従来には入力しようとする日本語アルファベットの発音に該当する英文キーを１〜３個組み合わせて入力した後に、これを再び日本語アルファベットに処理してディスプレーする方法と、日本語アルファベットが行単位に割り当てられたキーを利用して直接入力する方法が使用された。
【００１０】
例えば、ひらがな“ご”を入力しようとする場合には、英文“ｋ”が割り当てられたキーと英文“ｏ”が割り当てられたキーを順次に押すか、“か”行が表記されているキーを５回押すか、前記“か”行が表記されているキーを一回押した後に、移動キーや方向キーを４回押すべきであった。
【００１１】
したがって、現在、通用している日本語入力方式によると、アルファベットごとに、キーの操作回数が異なり、特に、“お”段に属するアルファベットを入力するためにはキーを５回操作すべきであるので、入力速度が遅く、誤入力の誘発要因が多いという短所がある。
【００１２】
【発明が解決しようとする課題】
本発明の目的は、容易な方法でデジタル情報処理装置に日本語アルファベットであるひらがなとカタカナを入力することができる方法を提供することにある。
【００１３】
また、本発明の目的は、日本語の濁音、半濁音及び促音などの変異文字を便利に入力することができるデジタル情報処理装置を提供することにある。
【００１４】
本発明のまた他の目的は、ひらがなとカタカナを選択して入力することができる日本語入力方法を提供することにある。
【００１５】
【課題を解決するための手段】
上述の目的を達成するための本発明の一特徴によると、デジタル情報処理装置の文字入力方法は、多数の代表文字キーと多数の入力モード選択キーを含むメイン入力画面を表示する段階と、前記代表文字のうち一つが選択される時に、選択された代表文字と関連ある多数の従属文字キーを含むサブ入力画面を表示する段階とを含む。
【００１６】
望ましい実施形態において、前記入力モード選択キーは、ひらがな入力モード、カタカナ入力モード、ローマ字方式のひらがな入力モード、ローマ字方式のカタカナ入力モード及び英語アルファベット入力モードを選択するためのキーを含む。
【００１７】
この実施形態において、前記モード選択キーのうち一つの押しによって選択されたモードに対応するメイン入力画面を表示する段階をさらに含む。
【００１８】
この実施形態において、前記選択された入力モードがひらがな入力モードである時に、前記代表文字は、あ、か、さ、た、な、は、ま、や、ら、わ及びんを含む。
【００１９】
この実施形態において、前記代表文字“あ”と関連ある従属文字は「あ、い、う、え、お、ぁ、ぃ、ぅ、ぇ」及「びぉ」を含む。前記代表文字“か”に対応する従属文字は「か、き、く、け、こ、が、ぎ、ぐ、げ、ご、きゃ、きゅ、きょ、ぎゃ、ぎゅ」及び「ぎょ」を含む。前記代表文字“さ”と関連ある従属文字は「さ、し、す、せ、そ、ざ、じ、ず、ぜ、ぞ、しゃ、しゅ、しょ、じゃ、じゅ」及び「じょ」を含む。前記代表文字“た”と関連ある従属文字は「た、ち、つ、て、と、だ、ぢ、づ、で、ど、ちゃ、ちゅ、ちょ、っ、ぢゃ、ぢゅ」及び「ぢょ」を含む。前記代表文字“な”と関連ある従属文字は「な、に、ぬ、ね、の、にゃ、にゅ」及び「にょ」を含む。前記代表文字“は”と関連ある従属文字は「は、ひ、ふ、へ、ほ、ば、び、ぶ、べ、ぼ、ぱ、ぴ、ぷ、ぺ、ぽ、ひゃ、ひゅ、ひょ、びゃ、びゅ、びょ、ぴゃ、ぴゅ」及び「ぴょ」を含む。前記代表文字“ま”と関連ある従属文字は「ま、み、む、め、も、みゃ、みゅ」及び「みょ」を含む。前記代表文字“や”と関連ある従属文字は「や、ゆ、よ、ゃ、ゅ」及「びょ」を含む。前記代表文字“ら”と関連ある従属文字は「ら、り、る、れ、ろ、りゃ、りゅ」及び「りょ」を含む。前記代表文字“わ”と関連ある従属文字は「わ、を」及び「ゎ」を含む。
【００２０】
望ましい実施形態において、前記選択されたモードがカタカナ入力モードである時に、前記代表文字は「ア、カ、サ、タ、ナ、ハ、マ、ヤ、ラ、ワ」及び「ン」を含む。前記代表文字“ア”と関連ある従属文字は「ア、イ、ウ、エ、オ、ァ、ィ、ォ、ェ」及び「ォ」を含む。前記代表文字“カ”と関連ある従属文字は「カ、キ、ク、ケ、コ、ガ、ギ、グ、ゲ、ゴ、ヵ、ヶ、キャ、キュ、キョ、ギャ、ギュ」及び「ギョ」を含む。前記第表文字“サ”と関連ある従属文字は「サ、シ、ス、セ、ソ、ザ、ジ、ズ、ゼ、ゾ、シャ、シュ、ショ、ジャ、ジュ」及び「ジョ」を含む。前記代表文字“タ”と関連ある従属文字は「タ、チ、ツ、テ、ト、ダ、ヂ、ヅ、デ、ド、チャ、チュ、チョ、ッ、ヂャ、ヂュ」及び「ヂョ」を含む。前記代表文字“ナ”と関連ある従属文字は「ナ、ニ、ヌ、ネ、ノ、ニャ、ニュ」及び「ニョ」を含む。前記代表文字“ハ”と関連ある従属文字は「ハ、ヒ、フ、ヘ、ホ、バ、ビ、ブ、ベ、ボ、パ、ピ、プ、ペ、ポ、ヒャ、ヒュ、ヒョ、ビャ、ビュ、ビョ、ピャ、ピュ」及び「ピョ」を含む。前記代表文字“マ”と関連ある従属文字は「マ、ミ、ム、メ、モ、ミャ、ミュ」及び「ミョ」を含む。前記代表文字“ヤ”と関連ある従属文字は「ヤ、ユ、ヨ、ャ、ュ」及び「ョ」を含む。前記代表文字“ラ”と関連ある従属文字は「ラ、リ、ル、レ、ロ、リャ、リュ」及び「リョ」を含む。前記代表文字“ワ”と関連ある従属文字は「ワ、ヲ」及び「ヮ」を含む。
【００２１】
望ましい実施形態において、前記選択されたモードがローマ字方式のひらがな入力モードである時に、前記代表文字は「あ、か、さ、た、な、は、ま、や、ら、わ」及び「ん」にローマ字が各々併記されて表示される。
【００２２】
望ましい実施形態において、前記選択されたモードがローマ字方式のカタカナ入力モードである時に、前記代表文字は「ア、カ、サ、タ、ナ、ハ、マ、ヤ、ラ、ワ」及び「ン」にローマ字が各々併記されて表示される。
【００２３】
望ましい実施形態において、前記選択されたモードが英語アルファベット入力モードである時に、前記代表文字は
【数２】
2004199642.tif 000003
を含む。
【００２４】
望ましい実施形態において、前記サブ入力画面を表示する段階の前記サブ入力画面は、前記メイン入力画面表示段階に戻るために戻りキーをさらに含む。
【００２５】
望ましい実施形態において、前記デジタル情報処理装置がパワーオンされる時に、前記入力モードのうちいずれか一つに対応するメイン入力画面が表示される。
【００２６】
【発明の実施の形態】
図１は携帯用デジタル情報処理装置の代表的な例として、ＰＤＡ（ｐｅｒｓｏｎａｌ  ｄｉｇｉｔａｌ  ａｓｓｉｓｔａｎｔｓ）に本発明の文字入力方法が適用されたことを示している。図１を参照すると、参照番号１００はＰＤＡ、参照番号１１０は入力された文字を表示する第１表示部であり、参照番号１２０はキーパッドを表示する第２表示部である。この実施形態において、説明の便宜のために、第１表示部１１０はディスプレー画面に、第２表示部１２０はキーパッドに表記する。
【００２７】
よく知られたように、大部分のＰＤＡはタッチスクリーン（ｔｏｕｃｈ  ｓｃｒｅｅｎ）を採用する。したがって、キーパッド１２０にディスプレーされるキーボードの配列は変わることができる。今後、詳細に説明するが、ひらがな入力モードである時には、ひらがながキーパッド１２０にディスプレーされ、カタカナ入力モードである時には、カタカナがキーパッド１２０にディスプレーされる。したがって、使用者はひらがなを入力しようとする時には、キーパッド１２０にディスプレーされたひらがなを見ながら入力することができ、カタカナを入力しようとする時には、カタカナを見ながら入力することができる。
【００２８】
再び、図１を参照してひらがな入力モードに関して説明する。ひらがな入力モードにおいて、キーパッド１２０にはメイン入力画面２２０が表示される。メイン入力画面２２０は代表文字キー２２１と入力モード選択キー２２２及び機能キー２２３を含む。代表文字キーは、あ、か、さ、た、な、は、ま、や、ら、わ及び‘ん’、‘、’そして‘、’及び‘。’を含み、２行に配列される。モード選択キー２２２は英語アルファベット入力のための英語アルファベット入力キーＥ、カタカナ入力モードに変換するためのひらがな／カタカナ変換キー（ひ／か）ローマ字方式でひらがなを入力するためのローマ字選択キー（ローマ）及び数字及び図形文字入力のための数字／図形文字選択キー（１２３／＃）を含む。機能キー２２３はヘルプキー（Ｈｅｌｐ）とカーソル移動のためのタブ（Ｔａｂ）、バックスペース（ＢＳ）、スペース（ＳＰ）及びエンタキーと入力された文字を漢字に変換するための変換キーを含む。
【００２９】
先の説明のように、日本語アルファベットは４６個の基本文字（清音表記）と前記基本文字の右側の上段に“゛”または“゜”が併記された２５個の変異文字（濁音または半濁音）とァ、ィ、ゥ、ェ、ォ、ッ、ャ、ュ、ョ８個の下添字で構成されており、これらアルファベットは再び、ひらがなとカタカナの２種類に分けられ、その数は総１５１個に至る。だから、ＰＤＡ１００の制限されたキー表示領域１２０内に１５１個のキーを全部表示し難い。したがって、本発明では、１５１個の文字のうち代表文字キーあ、か、さ、た、な、は、ま、や、ら及びわ１０個と、ん及び、及び。をメイン入力画面に表示し、表示された代表文字のうち一つが選択される時に、選択された代表文字と関連ある従属文字をサブ入力画面に表示する。図１はひらがな入力モードでにおいて、キーパッド１２０にメイン入力画面２２０が表示された場合を例示的に示している。図１のメイン入力画面２２０は代表文字キー２２１として１０個のキーあ、か、さ、た、な、は、ま、や、ら及びわと、‘ん’、‘、’及び‘。’を含むと図示したが、代表文字キー２２１は多様に変更することができる。また、この実施形態では、代表文字キー２２１入力モード選択キー２２２及び機能キー２２３を３行に配列したが、キーの配列方式及び配列位置は多様に変更することができる。
【００３０】
図２乃至図１１は代表文字キー２２１である「あ、か、さ、た、な、は、ま、や、ら」及び「わ」が各々選択された時に、キーパッド１２０に表示されるサブ入力画面を各々示している。
【００３１】
図２は図１に示したメイン入力画面２２０で、代表文字である“あ”が選択された時に、キーパッド１２０に表示されるサブ入力画面２２０ａを示している。代表文字“あ”と関連ある従属文字はあ、い、う、え、お、ぁ、ぃ、ぅ、ぇ及びぉである。前記サブ文字はキーパッド１２０に２行に配列される。使用者が“お”を入力しようとする場合に、メイン入力画面２２０で代表文字である“あ”を選択し、サブ入力画面２２０ａで従属文字である“お”を選択する。このように、“お”を入力するために、２回のみ押してもいいということが分かる。使用者が代表文字を誤選択した場合には、戻りキーを押す。サブ入力画面２２０ａで戻りキーが押された時に、キーパッド１２０にはメイン入力画面２２０が表示される。以下、サブ入力画面で戻りキーに対する別途の説明がなくても、戻りキーが表示されていたら、戻り機能の実行が可能である。
【００３２】
図３はメイン入力画面２２０で代表文字である“か”が選択された時に、キーパッド１２０に表示されるサブ入力画面２２０ｂを示している。代表文字“か”と関連ある従属文字は「か、き、く、け、こ、が、ぎ、ぐ、げ、ご、きゃ、きゅ、きょ、ぎゃ、ぎゅ」及び「ぎょ」である。特に、“きゃ”を入力するためには、代表文字“か”と従属文字“きゃ”を選択する２回のキー入力のみが必要である。このように、本発明は従来の他のキー入力方法に比べてキー入力回数を著しく減少させる。
【００３３】
図４はメイン入力画面２２０で代表文字である“さ”が選択された時に、キーパッド１２０に表示されるサブ入力画面２２０cを示している。代表文字“さ”と関連ある従属文字は「さ、し、す、せ、そ、ざ、じ、ず、ぜ、ぞ、しゃ、しゅ、しょ、じゃ、じゅ」及び「じょ」である。前記従属文字はキーパッド１２０に３行に配列される。
【００３４】
図５はメイン入力画面２２０で代表文字である“た”が選択された時に、キーパッド１２０に表示されるサブ入力画面２２０dを示している。代表文字“た”と関連ある従属文字は「た、ち、つ、て、と、だ、ぢ、づ、で、ど、ちゃ、ちゅ、ちょ、っ、ぢゃ、ぢゅ」及び「ぢょ」である。
【００３５】
図６はメイン入力画面２２０で代表文字である“な”が選択された時に、キーパッド１２０に表示されるサブ入力画面２２０eを示している。代表文字“な”と関連ある従属文字は「な、に、ぬ、ね、の、にゃ、にゅ」及び「にょ」である。
【００３６】
図７はメイン入力画面２２０で代表文字である“は”が選択された時に、キーパッド１２０に表示されるサブ入力画面２２０ｆを示している。代表文字“は”と関連ある従属文字は「は、ひ、ふ、へ、ほ、ば、び、ぶ、べ、ぼ、ぱ、ぴ、ぷ、ぺ、ぽ、ひゃ、ひゅ、ひょ、びゃ、びゅ、びょ、ぴゃ、ぴゅ、」及び「ぴょ」である。前記従属文字はキーパッド１２０に４行に配列される。
【００３７】
図８はメイン入力画面２２０で代表文字である“ま”が選択された時に、キーパッド１２０に表示されるサブ入力画面２２０ｇを示している。代表文字“ま”と関連ある従属文字は「ま、み、む、め、も、みゃ、みゅ」及び「みょ」である。
【００３８】
図９はメイン入力画面２２０で代表文字である“や”が選択された時に、キーパッド１２０に表示されるサブ入力画面２２０ｈを示している。代表文字“や”と関連ある従属文字は「や、ゆ、よ、ゃ、ゅ」及び「ょ」である。
【００３９】
図１０はメイン入力画面２２０で代表文字である“ら”が選択された時に、キーパッド１２０に表示されるサブ入力画面２２０ｉを示している。代表文字“ら”と関連ある従属文字は「ら、り、る、れ、ろ、りゃ、りゅ」及び「りょ」である。
【００４０】
図１１はメイン入力画面２２０で代表文字である“わ”が選択された時に、キーパッド１２０に表示されるサブ入力画面２２０ｉを示している。代表文字“わ”と関連ある従属文字は「わ、を」及び「ゎ」である。
【００４１】
図１に示したメイン入力画面２２０と図２乃至図１１に示したサブ入力画面２２０ａ〜２２０ｊによると、 ２回のキー入力により１１６個のひらがなのうちどのようなことも入力可能である。
【００４２】
図１２はカタカナ入力モードでキーパッド１２０にメイン入力画面３２０が表示された場合を例示的に示している。図１に示したひらがな入力モードから図１２に示したカタカナ入力モードへの転換は、モード選択キーであるひ／かキーを１回押すことによって可能である。同様に、図１２に示したカタカナ入力モードから図１に示したひらがな入力モードへの転換はモード選択キーであるひ／かキーを１回押すことによって可能である。
【００４３】
図１２を参照すると、カタカナ入力モードでキーパッド１２０に表示されるメイン入力画面３２０は代表文字キー３２１として１０個の「ア、カ、サ、タ、ナ、ハ、マ、ヤ、ラ」及び「ン」そして「、」及び「。」を含む。しかし、先の説明のように、代表文字キー３２１は多様に変わることができる。モード選択キー３２２は英語アルファベット入力のための英語アルファベット入力キーＥ、カタカナ入力モードに変換するためのひらがな／カタカナ変換キー（ひ／か）、半角キー入力のための半角キー、ローマ字方式でカタカナを入力するためのローマ字選択キー（ローマ）、及び数字及び図形文字入力のための数字／図形文字選択キー（１２３＃）を含む。機能キー３２３はヘルプキーとカーソル移動のためのタプ、バックスペースＢＳ、スペースＳＰ及びエンタキーと入力された文字を漢字に変換するための変換キーを含む。この実施形態において、代表文字キー３２１、入力モード選択キー３２２及び機能キー３２３を３行に配列したが、キーの配列方式及び配列位置は多様に変わることができる。
【００４４】
図１３乃至図２２は代表文字キー３２１である「ア、カ、サ、タ、ナ、ハ、マ、ヤ、ラ」及び「ワ」が各々選択された時に、キーパッド１２０に表示されるサブ入力画面を各々示している。
【００４５】
図１３は図１２に示したメイン入力画面３２０で代表文字“ア”が選択された時に、キーパッド１２０に表示されるサブ入力画面３２０ａを示している。代表文字“ア”と関連ある従属文字は「ア、イ、ウ、エ、オ、ァ、ィ、ォ、ェ」及び「ォ」である。前記サブ文字はキーパッド１２０に２行に配列される。使用者が“ウ”を入力しようとする場合に、メイン入力画面３２０で代表文字である“ア”を選択し、サブ入力画面２２０ａで従属文字である“ウ”を選択する。このように、“ウ”を入力するために、２回のみキーを押していいことが分かる。
【００４６】
図１４は図１２に示したメイン入力画面３２０で代表文字である“カ”が選択された時に、キーパッド１２０に表示されるサブ入力画面３２０ｂを示している。代表文字“カ”と関連ある従属文字は「カ、キ、ク、ケ、コ、ガ、ギ、グ、ゲ、ゴ、ヵ、ヶ、キャ、キュ、キョ、ギャ、ギュ」及び「ギョ」である。前記サブ文字はキーパッド１２０に４行に配列される。例えば、“グ”を入力するためには、メイン入力画面３２０で“カ”を選択し、サブ入力画面３２０ｂで“グ”を選択する。また他の例として、メイン入力画面３２０で“カ”が選択された後に、サブ入力画面３２０ｂで“ギュ”が選択されると、“ギュ”が入力される。
【００４７】
図１５は図１２に示したメイン入力画面３２０で代表文字である“サ”が選択された時に、キーパッド１２０に表示されるサブ入力画面３２０ｃを示している。代表文字“サ”と関連ある従属文字は「サ、シ、ス、セ、ソ、ザ、ジ、ズ、ゼ、ゾ、シャ、シュ、ショ、ジャ、ジュ」及び「ジョ」である。
【００４８】
図１６は図１２で示したメイン入力画面３２０で代表文字である“タ”が選択された時に、キーパッド１２０に表示されるサブ入力画面３２０ｄを示している。代表文字“タ”と関連ある従属文字は「タ、チ、ツ、テ、ト、ダ、ヂ、ヅ、デ、ド、チャ、チュ、チョ、ッ、ヂャ、ヂュ」及び「チョ」である。
【００４９】
図１７は図１２に示したメイン入力画面３２０で代表文字である“ナ”が選択された時に、キーパッド１２０に表示されるサブ入力画面３２０ｅを示している。代表文字“ナ”と関連ある従属文字は「ナ、二、ヌ、ネ、ノ、ニャ、ニュ」及び「ニョ」である。
【００５０】
図１８は図１２に示したメイン入力画面３２０で代表文字である“ハ”が選択された時に、キーパッド１２０に表示されるサブ入力画面３２０ｆを示している。代表文字“ハ”と関連ある従属文字は「ハ、ヒ、フ、ヘ、ホ、バ、ビ、ブ、ベ、ボ、パ、ピ、プ、ペ、ポ、ヒャ、ヒュ、ヒョ、ビャ、ビュ、ビョ、ピャ、ピュ」及び「ピョ」である。
【００５１】
図１９は図１２に示したメイン入力画面３２０で代表文字である“マ”が選択された時に、キーパッド１２０に表示されるサブ入力画面３２０ｇを示している。代表文字“マ”と関連ある従属文字は「マ、ミ、ム、メ、モ、ミャ、ミュ」及び「ミョ」である。
【００５２】
図２０は図１２に示したメイン入力画面３２０で代表文字である“マ”が選択された時に、キーパッド１２０に表示されるサブ入力画面３２０ｈを示している。代表文字“ヤ”と関連ある従属文字は「ヤ、ユ、ヨ、ャ、ュ」及び「ョ」である。
【００５３】
図２１は図１２に示したメイン入力画面３２０で代表文字である“ラ”が選択された時に、キーパッド１２０に表示されるサブ入力画面３２０ｉを示している。代表文字“ラ”と関連ある従属文字は「ラ、リ、ル、レ、ロ、リャ、リュ」及び「リョ」である。
【００５４】
図２２は図１２に示したメイン入力画面３２０で代表文字である“ラ”が選択された時に、キーパッド１２０に表示されるサブ入力画面３２０ｊを示している。代表文字“ワ”と関連ある従属文字は「ワ、ヲ」及び「ヮ」である。
【００５５】
このような本発明によると、メイン入力画面３２０での一回のキー押しとサブ入力画面３２０ａ〜３２０ｊのうちいずれか一つでの一回のキー押し、すなわち、２回のキー押しによって１１８個のカタカナのうちどのようなことでも入力可能である。
【００５６】
さらに、日本語を使用することができる人であれば、よく知っている各行の第１文字を代表文字とし、メイン入力画面３２０に表示し、表示された代表文字のうちいずれか一つが選択されれば、選択された代表文字と関連ある従属文字をサブ入力画面３２０ａ〜３２０ｊに表示することによって、キー押し回数を短縮させることができるだけではなく、キー押し速度も向上する。また、促音、濁音及び半濁音と「ァ、ィ、ゥ、ェ、ォ、ッ、ャ、ュ、ョ」などのような下添字がついたカタカナも、２回のキー押しによってＰＤＡ１００に入力されることができる。
【００５７】
続けて、英語アルファベットを利用して、ひらがな及びカタカナを入力する方法が説明される。よく知られたように、コンピュータのキーボードなどを利用してひらがなまたはカタカナを容易に入力するための方法として、ローマ字方式が広く使用されている。特に、ローマ字方式は日本の国民だけではなく、外国人においてデジタル情報処理装置にひらがなまたはカタカナを入力することにおいて、便利を提供する。
【００５８】
本発明の日本語入力方法は、メイン入力画面及びサブ入力画面に表示されるひらがなまたはカタカナにローマ字を併記して使用者がローマ字方式によりひらがなまたはカタカナを入力すると同一の効果を得ることができる。
【００５９】
図２３は本発明の望ましい実施形態に従ってローマ字方式によりＰＤＡにひらがなを入力するためのメイン入力画面を示している。図１に示したひらがな入力モードにおいて、図２３に示したローマ字方式のひらがな入力モードに変換するためには、ローマ字モードキー（ローマ）を押す。逆に、図２３に示したローマ字方式のひらがな入力モードにおいて、図１に示したひらがな入力モードに変換するためには、モード変換キー（あ）を押す。
【００６０】
図２３を参照すると、ローマ字方式のひらがな入力モードでキーパッド１２０に表示されるメイン入力画面５２０は図１に示したひらがな入力モードでのメイン入力画面２２０と類似である。但し、ひらがなの各文字の傍にはローマ字が併記される。例えば、“あ”には“ａ”、“か”には“ｋａ”、“さ”には“ｓａ”、“た”には“ｔａ”、“な”には“ｎａ”、“は”には“ｈａ”、“ま”には“ｍａ”、“や”には“ｙａ”、“ら”には“ｒａ”、“わ”には“ｗａ”、そして“ん”には“ｎ”が各々併記される。
【００６１】
図２４及び図３３はローマ字方式のひらがな入力モードでメイン入力画面５２０に表示された代表文字「あ、か、さ、た、な、は、ま、や、ら」及び「わ」が各々選択された時に、キーパッド１２０に表示されるサブ表示画面５２０ａ〜５２０ｊを各々示している。図２４乃至図３３に示したサブ表示画面５２０ａ〜５２０ｊは図２乃至図１１に示したサブ表示画面２２０ａ〜２２０ｊと各々類似である。但し、図２４乃至図３３に示したサブ表示画面５２０ａ〜５２０ｊにはひらがなの右側の上段にローマ字が併記されているだけである。ひらがなに併記されるローマ字の位置は多様に変更することができる。また、使用者の便宜のために、ローマ字が各キーの中央に配置され、ひらがながローマ字の左側または右側に併記される方式で表記されることができる。ローマ字方式のひらがな入力モードの動作は先の図１及び図２乃至図１１を参照して説明したひらがな入力モードと類似であるので、詳細の説明は省略する。
【００６２】
ローマ字方式のひらがな入力モードもひらがな入力モードのように、但し２回のキー入力により１１６個のひらがなのうちどのようなことでも入力することができる。例えば、“こ”を入力するために、使用者はメイン入力画面５２０で“か”キーを選択し、“か”キーを選択することにより表示されるサブ入力画面５２０ｂ（図２５参照）で“こ”キーを選択する。また、“じゃ”を入力するためには、使用者はメイン入力画面５２０で“さ”を選択し、“さ”を選択することにより表示されるサブ入力画面５２０ｃ（図２６参照）で“じゃ”キーを選択する。
【００６３】
図３４は本発明の望ましい実施形態に従ってローマ字方式によりＰＤＡにカタカナを入力するためのメイン入力画面を示している。図１２に示したカタカナ入力モードで、図３４に示したローマ字方式のカタカナ入力モードに変換するためには、ローマ字モードキー（ローマ）を押す。逆に、図３４に示したローマ字方式のカタカナ入力モードで図１２に示したひらがな入力モードに変換するためには、モード変換キー（あ）を押す。一方、図２３に示したローマ字方式のひらがな入力モードで図３４に示したローマ字方式のカタカナ入力モードへの転換またはその逆の転換はモード選択キーであるひ／かキーを一回押すことによって可能である。
【００６４】
図３４を参照すると、ローマ字方式のカタカナ入力モードでキーパッド２０に表示されるメイン入力画面７２０は図１２に示したカタカナ入力モードでのメイン入力画面３２０と類似である。但し、カタカナの各文字の傍にはローマ字が併記される。例えば、“ア”には“ａ”、“カ”には“ｋａ”、“サ”には“ｓａ”、“タ”には“ｔａ”，“ナ”には“ｎａ”、“ハ”には“ｈａ”、“マ”には“ｍａ”、“ラ”には“ｒａ”、“ワ”には“ｗａ”、及び“ン”には“ｎ”が各々併記される。
【００６５】
図３５乃至図４４はローマ字方式のカタカナ入力モードにおいて、メイン入力画面７２０に表示された代表文字「ア、カ、サ、タ、ナ、−、ハ、マ、ヤ、ラ」及び「ワ」が各々選択された時に、キーパッド１２０に表示されるサブ表示画面７２０ａ〜７２０ｊを各々示している。図３５乃至図４４に示したサブ表示画面７２０ａ〜７２０ｊは図１３乃至図２２に示したサブ表示画面３２０ａ〜３２０ｊと各々類似である。但し、図３５乃至図４４に示したサブ表示画面７２０ａ〜７２０ｊにはカタカナの右側の上段にローマ字が併記されているだけである。カタカナに併記されるローマ字の位置は多様に変更することができる。また、使用者の便宜のために、ローマ字が各キーの中央に配置され、カタカナがローマ字の左側または右側に併記される方式で表記されることができる。ローマ字方式のカタカナ入力モードの動作は先の図１２及び図１３乃至図２２を参照して説明したカタカナ入力モードと類似であるので、詳細の説明は省略する。
【００６６】
ローマ字方式のカタカナ入力モードもカタカナ入力モードのように但し２回のキー入力により１１８個のカタカナのうちどのようなことでも入力することができる。例えば、“コ”を入力するためには、使用者はメイン入力画面７２０で“カ”キーを選択し、“カ”キーを選択することにより表示されるサブ入力画面７２０ｂ（図３６参照）で“コ”キーを選択する。また、“ジャ”を入力するために、使用者はメイン入力画面７２０で“サ”を選択し、“サ”を選択することにより表示されるサブ入力画面７２０ｃ（図３７参照）で”ジャ“キーを選択する。
【００６７】
このような本発明によると、メイン入力画面７２０での一回のキー押しとサブ入力画面７２０ａ〜７２０ｊのうちいずれか一つでの一回のキー押し、すなわち、２回のキー押しによって１１８個のカタカナのうちどのようなことでも入力することができる。
【００６８】
さらに、日本語に上手ではない外国人やローマ字方式によりひらがなまたはカタカナを入力することに慣れている人がキーパッド１２０に表示されたローマ字キーを見ながら容易にひらがなまたはカタカナを入力することができる。
【００６９】
図４５は本発明の望ましい実施形態による文字入力方法に従ってＰＤＡに英語アルファベットを入力する方法を示すための図面である。図４５に示した基本図形
【数３】
2004199642.tif 000004
は、アルファベットのａからｚまでの形態を分解して抽出した図形として、国内特許出願２００１−７４３７６号に開示されている。１０個の基本図形はキーパッド１２０の数字キー１から０まで各々割り当てられる。前記各基本図形と連関あるアルファベットと各基本図形の意味は次の表１の通りである。
【表１】
2004199642.tif 000005
【００７０】
１０個の基本図形のうち二つの組み合わせがアルファベットａからｚまで一つずつ対応する。二つの図形の組み合わせとアルファベットの対応原理はアルファベットの小文字を書く原理に従って決められ、具体的には、次の表２のように決められることが望ましい。
【表２】
2004199642.tif 000006
【００７１】
１０個の基本図形を利用して英語アルファベットを入力する具体的な技術内容は説明しない。但し、ここでは、図１、図１２、図２３及び図３４に示したメイン入力画面２２０、３２０、４２０、５２０及び７２０で英語アルファベット入力モードキーＥが押された時に、キーパッド１２０に表示される画面と表示されたキーによって英語アルファベットを入力する方法に関して説明する。
【００７２】
英語アルファベット入力モードキーＥが選択されれば、図４５に示したように、英語アルファベット入力モードによるメイン入力画面９２０がキーパッド１２０に表示される。使用者がメイン入力画面９２０に表示された１０個の基本図形
【数４】
2004199642.tif 000007
のうちいずれか一つを選択すると、選択された基本図形によって入力可能なアルファベットを含むサブ入力画面が表示される。
【００７３】
図４６乃至図５５は図４５に示したメイン入力画面９２０で基本図形
【数５】
2004199642.tif 000008
が各々選択された時に、キーパッド１２０に表示されるサブ入力画面を各々示している。
【００７４】
図４６は図４５に示したメイン入力画面９２０で基本図形
【数６】
2004199642.tif 000009
が選択された時に、入力可能な英語アルファベットを含むサブ入力画面９２０ａを示している。サブ入力画面９２０ａで表示されるアルファベットの位置はメイン入力画面９２０の基本図形の位置と関連ある。すなわち、
【数７】
2004199642.tif 000010
が選択された時に、“ｌ”が入力され、
【数８】
2004199642.tif 000011
が選された時には、“ｈ”が入力され、
【数９】
2004199642.tif 000012
が入力された時には、“ｋ”が入力され、
【数１０】
2004199642.tif 000013
が選択された時に、“ｂ”が入力され、
【数１１】
2004199642.tif 000014
が選択された時に、“ｔ”が入力されることができるので、メイン入力画面９２０の
【数１２】
2004199642.tif 000015
の位置にＩ、ｈ、ｋ、ｂ及びｔが各々表示される。したがって、使用者が基本図形の第１キーを押すと、次に入力可能な第２キーの位置に、第１キーと第２キーの組み合わせに対応するアルファベットが表示される。
【００７５】
図４７は図４５に示したメイン入力画面９２０で基本図形∩が選択された時に、入力可能な英語アルファベットを含むサブ入力画面９２０ｂを示す。図４８は図４５に示したメイン入力画面９２０で基本図形
【数１３】
2004199642.tif 000016
が選択された時に、入力可能な英語アルファベットを含むサブ入力画面９２０ｃを示す。図４９は図４５に示したメイン入力画面９２０で基本図形⊂が選択された時に、入力可能な英語アルファベットを含むサブ入力画面９２０ｄを示す。図５０は図４５に示したメイン入力画面９２０で基本図形
【数１４】
2004199642.tif 000017
が選択された時に、入力可能な英語アルファベットを含むサブ入力画面９２０ｅを示す。図５１は図４５に示したメイン入力画面９２０で基本図形⊃が選択された時に、入力可能な英語アルファベットを含むサブ入力画面９２０ｆを示す。図５２は図４５に示したメイン入力画面９２０で基本図形
【数１５】
2004199642.tif 000018
が選択された時に、入力可能な英語アルファベットを含むサブ入力画面９２０ｇを示す。図５３は図４５に示したメイン入力画面９２０で基本図形∪が選択された時に、入力可能な英語アルファベットを含むサブ入力画面９２０ｈを示す。図５４は図４５に示したメイン入力画面９２０で基本図形
【数１６】
2004199642.tif 000019
が選択された時に、入力可能な英語アルファベットを含むサブ入力画面９２０ｉを示す。図５５は図４５に示したメイン入力画面９２０で基本図形
【数１７】
2004199642.tif 000020
が選択された時に、入力可能な英語アルファベットを含むサブ入力画面９２０ｊを示す。したがって、英語アルファベットａからｚまでのうちどのようなことでも２回のキー押しによって入力可能であり、２回のキー押しのうち第１キーが選択されれば、選択されたキーと連続して選択することができるキーに、それに対応するアルファベットが表示されることによって使用者の英語アルファベット入力の便利が増大する。
【００７６】
図４５及び図４６乃至図５５では基本図形及びそれと関連した英語アルファベットがキーパッド１０に３行に配列されたが、配列の方法及び順序は多様に変更することができる。
【００７７】
図５６は本発明の望ましい実施形態による文字入力方法の制御順序を示すフローチャートである。まず、段階Ｓ１０で、ＰＤＡ１００がパワーオンされた時に、または他のプログラムが実行されており、文字入力のためのプログラムが実行された時に、キーパッド１２０にはメイン入力画面が表示される。初期に、入力モードはひらがな入力モード、カタカナ入力モード、ローマ字方式のひらがな入力モード、ローマ字方式のカタカナ入力モード、ローマ字方式のひらがな入力モード、ローマ字方式のカタカナ入力モード及び英語アルファベット入力モードのうちいずれか一つで設定されることができる。このような入力モードはパワーオフの以前に使用していたモードで設定されることができ、またはひらがな入力モードがディフォルトで設定されることもできる。例えば、段階Ｓ１０で、図１に示したようなひらがな入力モードによるメイン入力画面２２０が表示されたと仮定する。先の説明のように、ひらがな入力モードによるメイン入力画面２２０では代表文字キー２２１、モード選択キー２２２及び機能キー２３３が表示される。
【００７８】
段階Ｓ１１で、代表文字キー２２１のうちいずれか一つが選択されたか否かが判別される。段階Ｓ１１で、代表文字キー２２１のうちいずれか一つが選択される時に、その制御は段階Ｓ１２に進行する。段階Ｓ１２で、サブ入力画面２２０ａ〜２２０ｊのうち選択された代表文字と関連あるサブ入力画面が表示される。例えば、代表文字キー２２１のうち“あ”が選択されると、サブ入力画面２２０ａがキーパッド１２０に表示される。段階Ｓ１３で、戻りキーが選択されたか否かが判別される。戻りキーが選択されると、その制御は段階Ｓ１０にリターンしてメイン入力画面２２０を再び表示する。この時に、以前に選択された“あ”は削除される。段階Ｓ１４で、代表文字“あ”と関連ある従属文字「あ、い、う、え、を、ぁ、ぃ、ぅ、ぇ」及び「ぉ」のうちいずれか一つが選択されるか否かを判別する。従属文字“お”が選択されると、段階Ｓ１５で選択された“お”をディスプレー窓１１０に表示し、段階Ｓ１６でメイン入力画面２２０をキーパッド１２０に再び表示する。
【００７９】
前記段階Ｓ１１で代表文字が選択されなければ、その制御は段階Ｓ１７に進行する。段階Ｓ１７で、入力モード選択キーのうちいずれか一つが選択されたか否かが判別される。例えば、ひらがな／カタカナ転換キー（ひ／か）が選択されると、カタカナ入力モードに転換し、ローマ字選択キー（ローマ）が選択されると、ローマ字方式のひらがな入力モードに転換し、そして、英語アルファベット選択キーＥが選択されると、英語アルファベット入力モードに転換し、段階Ｓ１８で選択されたモードに対応するメイン入力画面が表示される。
【００８０】
例示的な望ましい実施形態を利用して本発明を説明したが、本発明の範囲は開示された実施形態に限定されないということはよく理解できるだろう。したがって、請求範囲はそのような変形例及びそれと類似の構成要素を全部含み、広く解釈されなければならない。
【００８１】
【発明の効果】
本発明によると、メイン入力画面での一回のキー押しとサブ入力画面のうちいずれか一つでの一回のキー押し、すなわち、２回のキー押しによってひらがなまたはカタカナを入力することができる。さらに、日本語を使用することができる人であれば、だれでも知っている各行の第１文字を代表文字とし、メイン画面に表示し、表示された代表文字のうちいずれか一つが選択されれば、選択された代表文字と関連ある従属文字をサブ入力画面に表示することによって、キー押し回数を短縮させることができるだけではなく、キー押しの速度も向上する。また、促音、濁音及び半濁音と「ァ、ィ、ゥ、ェ、ォ、ッ、ャ、ュ、ョ」などのような下添字がついたカタカナも但し２回のキー押しによって入力されることができる。
【００８２】
そして、日本語が上手ではない外国人やローマ字方式によりひらがなまたはカタカナを入力することに慣れている人がキーパッドに表示されたローマ字キーを見ながら、容易にひらがなまたはカタカナを入力することができ、この場合にもすべてのひらがなまたはカタカナは２回のキー押しによって入力される。
【００８３】
また、基本図形を利用して英語アルファベットを入力する方式によると、アルファベットは２回のキー押しによって入力可能であり、２回のキー押しのうち第１キーが選択されれば、選択されたキーと連続して選択されることができるキーに、それに対応するアルファベットが表示されることによって使用者の英語アルファベット入力の便利が増大する。
【図面の簡単な説明】
【図１】携帯用デジタル情報処理装置の代表的な例としてＰＤＡに本発明の文字入力方法が適用されたことを示す図面。
【図２】代表文字キーが各々選択された時に、キーパッドに表示されるサブ入力画面を各々示す図面。
【図３】代表文字キーが各々選択された時に、キーパッドに表示されるサブ入力画面を各々示す図面。
【図４】代表文字キーが各々選択された時に、キーパッドに表示されるサブ入力画面を各々示す図面。
【図５】代表文字キーが各々選択された時に、キーパッドに表示されるサブ入力画面を各々示す図面。
【図６】代表文字キーが各々選択された時に、キーパッドに表示されるサブ入力画面を各々示す図面。
【図７】代表文字キーが各々選択された時に、キーパッドに表示されるサブ入力画面を各々示す図面。
【図８】代表文字キーが各々選択された時に、キーパッドに表示されるサブ入力画面を各々示す図面。
【図９】代表文字キーが各々選択された時に、キーパッドに表示されるサブ入力画面を各々示す図面。
【図１０】代表文字キーが各々選択された時に、キーパッドに表示されるサブ入力画面を各々示す図面。
【図１１】代表文字キーが各々選択された時に、キーパッドに表示されるサブ入力画面を各々示す図面。
【図１２】カタカナ入力モードでキーパッドにメイン入力画面が表示された場合を例示的に示す図面。
【図１３】代表文字キーが各々選択された時に、キーパッドに表示されるサブ入力画面を各々示す図面。
【図１４】代表文字キーが各々選択された時に、キーパッドに表示されるサブ入力画面を各々示す図面。
【図１５】代表文字キーが各々選択された時に、キーパッドに表示されるサブ入力画面を各々示す図面。
【図１６】代表文字キーが各々選択された時に、キーパッドに表示されるサブ入力画面を各々示す図面。
【図１７】代表文字キーが各々選択された時に、キーパッドに表示されるサブ入力画面を各々示す図面。
【図１８】代表文字キーが各々選択された時に、キーパッドに表示されるサブ入力画面を各々示す図面。
【図１９】代表文字キーが各々選択された時に、キーパッドに表示されるサブ入力画面を各々示す図面。
【図２０】代表文字キーが各々選択された時に、キーパッドに表示されるサブ入力画面を各々示す図面。
【図２１】代表文字キーが各々選択された時に、キーパッドに表示されるサブ入力画面を各々示す図面。
【図２２】代表文字キーが各々選択された時に、キーパッドに表示されるサブ入力画面を各々示す図面。
【図２３】本発明の望ましい実施形態に従ってローマ字方式によりＰＤＡにひらがなを入力するためのメイン入力画面を示す図面。
【図２４】ローマ字方式のひらがな入力モードにおいて、メイン入力画面に表示された代表文字が各々選択された時に、キーパッドに表示されるサブ表示画面を各々示す図面。
【図２５】ローマ字方式のひらがな入力モードにおいて、メイン入力画面に表示された代表文字が各々選択された時に、キーパッドに表示されるサブ表示画面を各々示す図面。
【図２６】ローマ字方式のひらがな入力モードにおいて、メイン入力画面に表示された代表文字が各々選択された時に、キーパッドに表示されるサブ表示画面を各々示す図面。
【図２７】ローマ字方式のひらがな入力モードにおいて、メイン入力画面に表示された代表文字が各々選択された時に、キーパッドに表示されるサブ表示画面を各々示す図面。
【図２８】ローマ字方式のひらがな入力モードにおいて、メイン入力画面に表示された代表文字が各々選択された時に、キーパッドに表示されるサブ表示画面を各々示す図面。
【図２９】ローマ字方式のひらがな入力モードにおいて、メイン入力画面に表示された代表文字が各々選択された時に、キーパッドに表示されるサブ表示画面を各々示す図面。
【図３０】ローマ字方式のひらがな入力モードにおいて、メイン入力画面に表示された代表文字が各々選択された時に、キーパッドに表示されるサブ表示画面を各々示す図面。
【図３１】ローマ字方式のひらがな入力モードにおいて、メイン入力画面に表示された代表文字が各々選択された時に、キーパッドに表示されるサブ表示画面を各々示す図面。
【図３２】ローマ字方式のひらがな入力モードにおいて、メイン入力画面に表示された代表文字が各々選択された時に、キーパッドに表示されるサブ表示画面を各々示す図面。
【図３３】ローマ字方式のひらがな入力モードにおいて、メイン入力画面に表示された代表文字が各々選択された時に、キーパッドに表示されるサブ表示画面を各々示す図面。
【図３４】本発明の望ましい実施形態に従ってローマ字方式によりＰＤＡにカタカナを入力するためのメイン入力画面を示す図面。
【図３５】ローマ字方式のカタカナ入力モードにおいて、メイン入力画面に表示された代表文字が各々選択された時に、キーパッドに表示されるサブ表示画面を各々示す図面。
【図３６】ローマ字方式のカタカナ入力モードにおいて、メイン入力画面に表示された代表文字が各々選択された時に、キーパッドに表示されるサブ表示画面を各々示す図面。
【図３７】ローマ字方式のカタカナ入力モードにおいて、メイン入力画面に表示された代表文字が各々選択された時に、キーパッドに表示されるサブ表示画面を各々示す図面。
【図３８】ローマ字方式のカタカナ入力モードにおいて、メイン入力画面に表示された代表文字が各々選択された時に、キーパッドに表示されるサブ表示画面を各々示す図面。
【図３９】ローマ字方式のカタカナ入力モードにおいて、メイン入力画面に表示された代表文字が各々選択された時に、キーパッドに表示されるサブ表示画面を各々示す図面。
【図４０】ローマ字方式のカタカナ入力モードにおいて、メイン入力画面に表示された代表文字が各々選択された時に、キーパッドに表示されるサブ表示画面を各々示す図面。
【図４１】ローマ字方式のカタカナ入力モードにおいて、メイン入力画面に表示された代表文字が各々選択された時に、キーパッドに表示されるサブ表示画面を各々示す図面。
【図４２】ローマ字方式のカタカナ入力モードにおいて、メイン入力画面に表示された代表文字が各々選択された時に、キーパッドに表示されるサブ表示画面を各々示す図面。
【図４３】ローマ字方式のカタカナ入力モードにおいて、メイン入力画面に表示された代表文字が各々選択された時に、キーパッドに表示されるサブ表示画面を各々示す図面。
【図４４】ローマ字方式のカタカナ入力モードにおいて、メイン入力画面に表示された代表文字が各々選択された時に、キーパッドに表示されるサブ表示画面を各々示す図面。
【図４５】本発明の望ましい実施形態による文字入力方式に従ってＰＤＡに英語アルファベットを入力する方法を示すための図面。
【図４６】図４５に示したメイン入力画面において、基本図形が各々選択された時に、キーパッドに表示されるサブ入力画面を各々示す図面。
【図４７】図４５に示したメイン入力画面において、基本図形が各々選択された時に、キーパッドに表示されるサブ入力画面を各々示す図面。
【図４８】図４５に示したメイン入力画面において、基本図形が各々選択された時に、キーパッドに表示されるサブ入力画面を各々示す図面。
【図４９】図４５に示したメイン入力画面において、基本図形が各々選択された時に、キーパッドに表示されるサブ入力画面を各々示す図面。
【図５０】図４５に示したメイン入力画面において、基本図形が各々選択された時に、キーパッドに表示されるサブ入力画面を各々示す図面。
【図５１】図４５に示したメイン入力画面において、基本図形が各々選択された時に、キーパッドに表示されるサブ入力画面を各々示す図面。
【図５２】図４５に示したメイン入力画面において、基本図形が各々選択された時に、キーパッドに表示されるサブ入力画面を各々示す図面。
【図５３】図４５に示したメイン入力画面において、基本図形が各々選択された時に、キーパッドに表示されるサブ入力画面を各々示す図面。
【図５４】図４５に示したメイン入力画面において、基本図形が各々選択された時に、キーパッドに表示されるサブ入力画面を各々示す図面。
【図５５】図４５に示したメイン入力画面において、基本図形が各々選択された時に、キーパッドに表示されるサブ入力画面を各々示す図面。
【図５６】本発明の望ましい実施形態による文字入力方法の制御手順を示すフローチャートである。
【図１】
2004199642.tif 000022
【図２】
2004199642.tif 000023
【図３】
2004199642.tif 000024
【図４】
2004199642.tif 000025
【図５】
2004199642.tif 000026
【図６】
2004199642.tif 000027
【図７】
2004199642.tif 000028
【図８】
2004199642.tif 000029
【図９】
2004199642.tif 000030
【図１０】
2004199642.tif 000031
【図１１】
2004199642.tif 000032
【図１２】
2004199642.tif 000033
【図１３】
2004199642.tif 000034
【図１４】
2004199642.tif 000035
【図１５】
2004199642.tif 000036
【図１６】
2004199642.tif 000037
【図１７】
2004199642.tif 000038
【図１８】
2004199642.tif 000039
【図１９】
2004199642.tif 000040
【図２０】
2004199642.tif 000041
【図２１】
2004199642.tif 000042
【図２２】
2004199642.tif 000043
【図２３】
2004199642.tif 000044
【図２４】
2004199642.tif 000045
【図２５】
2004199642.tif 000046
【図２６】
2004199642.tif 000047
【図２７】
2004199642.tif 000048
【図２８】
2004199642.tif 000049
【図２９】
2004199642.tif 000050
【図３０】
2004199642.tif 000051
【図３１】
2004199642.tif 000052
【図３２】
2004199642.tif 000053
【図３３】
2004199642.tif 000054
【図３４】
2004199642.tif 000055
【図３５】
2004199642.tif 000056
【図３６】
2004199642.tif 000057
【図３７】
2004199642.tif 000058
【図３８】
2004199642.tif 000059
【図３９】
2004199642.tif 000060
【図４０】
2004199642.tif 000061
【図４１】
2004199642.tif 000062
【図４２】
2004199642.tif 000063
【図４３】
2004199642.tif 000064
【図４４】
2004199642.tif 000065
【図４５】
2004199642.tif 000066
【図４６】
2004199642.tif 000067
【図４７】
2004199642.tif 000068
【図４８】
2004199642.tif 000069
【図４９】
2004199642.tif 000070
【図５０】
2004199642.tif 000071
【図５１】
2004199642.tif 000072
【図５２】
2004199642.tif 000073
【図５３】
2004199642.tif 000074
【図５４】
2004199642.tif 000075
【図５５】
2004199642.tif 000076
【図５６】
2004199642.tif 000077